(57)【要約】      （修正有）【課題】２線式の電線に断線センサをカレントループに接続し、断線センサ作動時にどのセンサが作動したかを識別する監視装置を提供する。【解決手段】断線センサに抵抗を内蔵する事により、カレントループが途切れた時に、抵抗、電圧、電流を測定する事により作動した断線センサを限定し点燈装置により明示する機能を実現したものである。これにより、従来、断線センサが作動し警報がなったときに、各センサ一つ一つを調べるという不合理を改善している。また、従来より存在するポーリング方式の高価な断線センサおよび監視装置によらず安価に等価の機能を提供するものである。【選択図】図２
2009043203.tif 000002
【特許請求の範囲】
【請求項１】
断線センサーにおいて、電気を流す電線接続端子の２点間に抵抗Ｒを配線することを特徴とする断線センサー。
【請求項２】
請求項１の断線センサーをカレントループにより直列にＮ個を接続する事を特徴とする警報システム。
【請求項３】
請求項２の警報システムにおいてカレントループの抵抗値を測定する機能を有する事を特徴とする警報装置。
【請求項４】
請求項２のカレントループ内に配置した請求項１の断線センサーのどれが作動したかを抵抗値の変化より識別できる機能を有する事を特徴とした請求項３の警報
装置。
【請求項５】
請求項４の警報装置においてランプによりＮ個の断線センサーのどれが作動したかを識別できるようにした事を特徴とした警報装置。
【請求項６】
請求項４の警報装置において抵抗値を測定し、測定した抵抗値をアナログメータないしデジタルメータにより値を表しＮ個の断線センサーのどれが作動したかを
識別できるようにした警報装置。
【請求項７】
請求項２のカレントループ内に配置した請求項１の断線センサーのどれが作動したかを抵抗の変化の測定を定電流を流し、結果、電圧の変化により行う事を特徴
とした請求項３の警報装置。
【請求項８】
請求項２のカレントループ内に配置した請求項１の断線センサーのどれが作動したかを抵抗の変化の測定を定電圧をかけ、結果、電流の変化により行う事を特徴
とした請求項３の警報装置。
【発明の詳細な説明】
【技術分野】
【０００１】
本発明はカレントループ接続を前提とした断線センサーおよびそれの管理制御に関するものである。
【背景技術】
【０００２】
従来、最も普及している断線センサーは用途に応じて複数個カレントループに接続している。
断線センサーの一つが作動した時、カレントループは断線し電流の流れが遮断し警報がなるようになっている。
【特許文献１】特許出願平３−２１４８８３特許出願２０００−２９３２８６
【発明の開示】
【発明が解決しようとする課題】
【０００３】
従来のＮ個の断線センサーをカレントループに接続した警報装置は、カレントループ接続した電線に流れる電流もしくは電圧を測定しており断線の有無を警報
にて鳴らす物であった。
【０００４】
この結果、断線センサーが作動した時にどのセンサーが作動したかを識別するか難しいという問題があった。
従来、ポーリング方式という高度な電子回路を利用した方式により作動したセンサの識別をしていた。これは「特許出願平３−２１４８８３」「特許出願
２０００−２９３２８６」により発明しているとうりである。
本発明は、この問題を極めて簡易な電子回路により、安価に解決するものである。
【課題を解決するための手段】
【０００５】
従来の断線センサーは電線を接続する単なる中継装置であった。ここに改良を加え、２線式ケーブルを接続する接続端子の
間に抵抗Ｒを配線するようにしたものである。
【発明を実施するための最良の形態】
【０００６】
本発明の実施例について図面を用いて説明する。
【実施例１】
【０００７】
これは請求項１、２、３、４，５を備えた実施例である。
【０００８】
図１に請求項１の機構を示す。
【０００９】
Ｓ１００１は本請求項１の断線センサーの筐体を示すものである。
【００１０】
Ｓ１００２は電線接続端子である。
【００１１】
Ｓ１００３は電線接続端子である。
【００１２】
Ｓ１００４は内蔵する抵抗Ｒである。この抵抗Ｒは任意の値である。ここでは抵抗値ＫＲ１を示すものである。
【００１３】
図２に請求項２の機構を示す。
Ｓ２００１は本請求項１の断線センサーをカレントループ接続する電線である。Ｎ個のＳ１００１を数珠つなぎにする。
Ｎは任意の数である。Ｓ３００１が許す限り接続するものとする。
【００１４】
図３に請求項３の機構を示す。
【００１５】
Ｓ３００１は本発明の請求項３と４の機能を備えた監視装置である。
【００１６】
Ｓ３００２は電源端子である。本機構を動作させるための電源を供給する。
【００１７】
Ｓ３００３はアース端子である。本機構を動作させるためのアースである。
【００１８】
Ｓ３００４とＳ３００５は、Ｓ１００２を接続する端子である。
【００１９】
Ｓ３００４とＳ３００５は接続したケーブルの内部抵抗を測る端子であり、接続するＳ１００２側に極性はない。従い、Ｓ１００２をあべこべに接続しても問
題はない。
【００２０】
Ｓ３００６は点灯装置である。Ｓ３００４とＳ３００５の間の電気抵抗を測定して所定のＳ３００６を点灯をオンオフするものである。
Ｓ３００６はＮ個備えるものである。Ｓ３００１の機構により、Ｎ個備える。
Ｎ個存在するＳ３００１にはＳ３００４とＳ３００５の間の抵抗値測定により点灯する機構があるものとする。
【００２１】
すなわち、便宜上図の上から最初のＳ３００６は、Ｓ３００４とＳ３００５の間の抵抗値がＫＲ１の時に点灯する。
抵抗値の誤差は設計上任意であるが、ここでは説明を判りやすくするためプラスマイナス５％とする。
【００２２】
同じく上から２番目のＳ３００６は、Ｓ３００４とＳ３００５の間の抵抗値がＫＲ１／２の時に点灯する。
同じく上から３番目のＳ３００６は、Ｓ３００４とＳ３００５の間の抵抗値がＫＲ１／３の時に点灯する。
同じく上からＮ番目のＳ３００６は、Ｓ３００４とＳ３００５の間の抵抗値がＫＲ１／Ｎの時に点灯する。
【００２３】
このように、誤差範囲とＳ３００６の個数を適切に選択し、各Ｓ３００６を点灯できる。
誤差は１／Ｎ個未満に設定する必要がある。これよりＮが１０の時、誤差は１０％未満にする必要がある。
ＫＲ１は定数として一意に定めるものとする。ＫＲ１は実際どんな値を与えても良いが抵抗測定測定装置の測定精度の範囲にこの誤差が収まっている必要があ
ること。加えて、各Ｓ１００１のＫＲ１を流れる電流つまり消費電力がＳ３００２に無理がかからない程度に小さければ良い。
【００２４】
Ｓ３００６はＬＥＤおよびランプなど通電により発光する素子により構成するものとする。
Ｓ３００１は、Ｓ３００４とＳ３００５の間の抵抗値を測定して上述の規則に一致するＳ３００６に通電する機構を備えるものである。
【００２５】
本機構により、図２に記載するＮ個のＳ１００１のいづれかへの接続が断線した時、抵抗値の測定により該当するＳ３００６を点灯できる。
すなわち、図２に記載するＮ個のＳ１００１のうち、接続するＳ３００１から見て１個目と２個目のＳ１００１が断線した時は図３の抵抗値はＫＲ１となり一致
する
Ｓ３００６を点灯する。
【００２６】
同２個目と３個目のＳ１００１が断線した時はＫＲ１／２の抵抗値に対応するＳ３００６の時に点灯する。
同３個目と４個目のＳ１００１が断線した時はＫＲ１／３の抵抗値に対応するＳ３００６の時に点灯する。
同Ｎ−１個目とＮ個目のＳ１００１が断線した時はＫＲ１／Ｎの抵抗値に対応するＳ３００６の時に点灯する。
以上のごとく、Ｓ２００１の電線のどこが切断したかにより、該当する点灯装置を灯すことができる。
【００２７】
なお、Ｓ３００１に一番接しているＳ１００１との間のＳ２００１が断線した場合、抵抗値は無限大を示すものである。
ここでは、各Ｓ１００１の間の断線を想定しているので本実施例では対応するＳ３００６は設けていない。これは現実的な実施例としての配慮であり、抵抗値が
無限大の時に該当するＳ３００６を用意しても良い。
【００２８】
本実施例では断線箇所に該当するＳ３００６を点灯させたが、これを消灯しても良い。この場合、普段は全てのＳ３００６を点灯しておき、断線が発生した
時、該当するＳ３００６を消灯する方式である。Ｓ３００６の点灯装置が故障したときに速やかに検出することを考えた場合はこちらが優れている。
【実施例２】
【００２９】
図３においてＮ個存在するＳ３００６を廃止して、アナログ式ないしデジタル式抵抗測定メータを配置したものである。
この場合、メータの示す抵抗値によりどのＳ１００１の間のＳ２００１が断線したかわかる。
【実施例３】
【００３０】
本実施例は、図１の断線センサーに改良を加えスイッチを加えたものである。
実施例１，２ではＳ３００１の断線を持ってして流れる電気の遮断スイッチ兼ねていた。この遮断スイッチを断線センサーの中に組み込んだものである。
【００３１】
本実施例は実施例１，２において採用しているＳ１００１のかわりにＳ４００１を置き換えたものである。
【００３２】
実施例１，２ではＳ２００１の断線の識別を前提としていた。例えば邸宅の塀に沿って図２のごとく本装置を張り巡らし、どの電線が切断したかをもってして
不審者の進入箇所を検知するという用途にこれは向いている。
【００３３】
たいして本実施例は、人が手動にてスイッチを入れる非常警報装置に応用したものである。病院、工場などの設備に要所ようしょにＳ４００１を配置し異常が
あった時にＳ４００２のスイッチを人が開き、断線させる。以上により実施例１，２と同じ効果を得るものである。
【００３４】
また本実施例は窓の異常開放センサーやドアの異常開閉センサーのようにＳ２００１の断線よりも明示的なスイッチを連動させやすい用途に適している。
【実施例４】
【００３５】
実施例１では断線箇所に該当するＳ３００６を点灯させた。
本実施例はこれを誤差に強いよう改良したものである。実施例１に対してＳ３００６の点灯条件を次のように変更する。
【００３６】
上から１番目のＳ３００６は、Ｓ３００４とＳ３００５の間の抵抗値がＫＲ１以上の時に消灯する。
同じく上から２番目のＳ３００６は、Ｓ３００４とＳ３００５の間の抵抗値がＫＲ１／２以上の時に消灯する。
同じく上から３番目のＳ３００６は、Ｓ３００４とＳ３００５の間の抵抗値がＫＲ１／３以上の時に消灯する。
同じく上からＮ番目のＳ３００６は、Ｓ３００４とＳ３００５の間の抵抗値がＫＲ１／Ｎ以上の時に消灯する。
【００３７】
本実施例では、断線が起きた時、点灯装置はライン状に点灯し、途中から消灯する。この境界線前後のＳ１００１で断線が起きた事がわかる。直感的に判りに
くい反面、Ｓ１００１を多く接続する時にＳ３００１の構造および精度が簡単になるという特徴がある。
【図面の簡単な説明】
【００３８】
【図１】抵抗を内蔵した断線センサーを表す図である。
【図２】本発明の全体を表す図である。
【図３】本発明の監視装置を表すである。
【図４】スイッチを内蔵した断線センサーを表す図である。
【符号の説明】
【００３９】
Ｓ１００１…断線センサー全体を現す図である。
【００４０】
Ｓ１００２…電線接続端末である。カレントループの２線式の電線を接続する端子である。
【００４１】
Ｓ１００３…電線接続端末である。カレントループの２線式の電線を接続する端子である。
【００４２】
Ｓ２００１…監視装置を出発点としてＮ個のＳ１００１と接続する電線である。各Ｓ１００１のＳ１００２とＳ１００３を
接続する。監視装置側から数えてＮ個目つまり最後のＳ１００１においてはＳ１００３をショートさせている。
【００４３】
Ｓ３００１…監視装置の本体である。本実施例においては抵抗測定装置である。
【００４４】
Ｓ３００２…本監視装置に供給する電源である。
【００４５】
Ｓ３００３…本監視装置に供給する電源のアースである。
【００４６】
Ｓ３００４…本装置が測定する抵抗値の端末である。Ｓ２００１の２つのケーブルの一端を接続する。
【００４７】
Ｓ３００５…本装置が測定する抵抗値の端末である。Ｓ２００１の２つのケーブルの一端を接続する。
【００４８】
Ｓ３００６…点灯装置である。
【００４９】
Ｓ４００１…断線センサー全体を現す図である。
【００５０】
Ｓ４００２…スイッチである。
【図１】
2009043203.tif 000003
【図２】
2009043203.tif 000004
【図３】
2009043203.tif 000005
【図４】
2009043203.tif 000006